(57)【特許請求の範囲】
【請求項１】
第１の通信帯域内の周波数を有する信号を受信するように同調された第１のアンテナ（４４）と、
第２の通信帯域内の周波数を有する信号を受信するように同調された第２のアンテナ（４６）と、
周波数変換信号を発生するダウン・コンバータ（８５）と、
前記第２のアンテナ及び前記ダウン・コンバータに結合され、前記第２のアンテナにより受信された信号及び周波数変換信号を使用して、前記第１の通信帯域内の周波数を有する信号を発生するミキサ（８２）と、
前記第１の通信帯域内の周波数を有する前記信号を前記第１のアンテナにより受信された信号と結合し、出力信号を発生し、低速の伝送線路（１２９）に供給するように動作可能である結合器（１２２）と、
第３の通信帯域内の信号を受信するように設計された第３のアンテナ（５０）と、
前記第３のアンテナに結合され、出力信号を発生し、高速の伝送線路（１４４）に供給するように動作可能である無線アクセス装置（１４０）と、
前記低速の伝送線路（１２９）及び前記高速の伝送線路（１４４）に結合され、前記結合器の出力信号と前記無線アクセス装置の出力信号と混合し、配線システム（１６２）に供給するように動作可能である混合信号プロセッサ（１６０）と、
前記配線システム（１６２）に供給された信号を高速の信号と低速の信号とに分割するシグナルスプリッタと、
前記第３のアンテナと、前記第１のアンテナ及び前記第２のアンテナとの間にあるシールド（１５０）とを具備する三重帯域遠隔測定システム（１０）。
【請求項２】
患者データを収集し、第１のＲＦ帯域内の周波数を有する第１の信号中で前記患者データを送信する第１の遠隔測定送信機（６２）と、
患者データを収集し、第２のＲＦ帯域内の周波数を有する第２の信号中で前記患者データを送信する第２の遠隔測定送信機（６４）と、
通信帯域内の第３の信号を発生する通信装置（５１）と、
前記第１の遠隔測定送信機及び前記第２の遠隔測定送信機から前記第１の信号及び前記第２の信号を受信し且つ前記第３の信号を受信するアンテナアレイ（４０）であって、
前記第１の信号を受信するように同調された第１のアンテナ（４４）と、
前記第２の信号を受信するように同調された第２のアンテナ（４６）とを含むアンテナアレイと、
周波数変換信号を発生するダウン・コンバータ（８５）と、
前記第２のアンテナ及び前記ダウン・コンバータに結合され、前記第２のアンテナにより受信された信号及び周波数変換信号を使用して、前記第１のＲＦ帯域内の周波数を有する信号を発生するミキサ（８２）と、
前記第１のＲＦ帯域内の周波数を有する前記信号を前記第１のアンテナにより受信された信号と結合し、出力信号を発生し、低速の伝送線路（１２９）に供給する結合器（１２２）と、
前記第３の信号を受信するように同調された第３のアンテナ（５０）と、
前記第３のアンテナに結合され、出力信号を発生し、高速の伝送線路（１４４）に供給するように動作可能である無線アクセス装置（１４０）と、
前記第３のアンテナ及び前記無線アクセス装置と、前記第１のアンテナ及び前記第２のアンテナとの間に配置されたシールド（１５０）と、
前記低速の伝送線路（１２９）及び前記高速の伝送線路（１４４）に結合され、前記結合器の出力信号と前記無線アクセス装置の出力信号と混合し、配線システム（１６２）に供給するように動作可能である混合信号プロセッサ（１６０）と、
前記配線システム（１６２）に供給された信号を高速の信号と低速の信号とに分割するシグナルスプリッタと、
前記シグナルスプリッタに結合され、前記低速の信号を受信する受信機サブシステム（３０）と、
前記シグナルスプリッタに結合され、前記高速の信号を受信する中央局（５５）とを具備する三重帯域遠隔測定システム（１０）。
【請求項３】
第１のＲＦ帯域内の周波数を有する信号を受信するように同調された第１のアンテナ（４４）と、
前記第１のアンテナに結合し、出力信号を発生し、低速の伝送線路（１２９）に供給された結合器（１２２）と、
第２のＲＦ帯域内の周波数を有する信号を受信するように同調された第２のアンテナ（４６）と、
前記第２のアンテナ及び前記結合器に結合されたミキサ（８２）と、
前記ミキサ（８２）に結合され且つ出力部を有し、その出力が前記ミキサで前記第２のアンテナから受信された信号と混合されて、前記第１のＲＦ帯域内の信号を発生するように構成されている発振器（９４）と、
第３のＲＦ帯域内の信号を受信するように動作可能である第３のアンテナ（５０）と、
前記第３のアンテナに結合され、出力信号を発生し、高速の伝送線路（１４４）に供給するように動作可能である無線アクセス装置（１４０）と、
前記低速の伝送線路（１２９）及び前記高速の伝送線路（１４４）に結合され、前記結合器の出力信号と前記無線アクセス装置の出力信号と混合し、配線システム（１６２）に供給するように動作可能である混合信号プロセッサ（１６０）と、
前記配線システム（１６２）に供給された信号を高速の信号と低速の信号とに分割するシグナルスプリッタと、
前記第３のアンテナ及び前記無線アクセス装置と、前記第１のアンテナ、前記第２のアンテナ、前記結合器、前記ミキサ及び前記発振器との間に配置されたシールド（１５０）とを具備する三重帯域遠隔測定システム（１０）。
【請求項４】
前記シールド（１５０）は導線又は金属板である請求項１乃至３のいずれかに記載の三重帯域遠隔測定システム（１０）。
【請求項５】
前記第１のＲＦ帯域はＵＨＦ帯域であり且つ前記第２のＲＦ帯域はＬ帯域である請求項１乃至３のいずれかに記載の三重帯域遠隔測定システム（１０）。
【請求項６】
前記無線アクセス装置（１４０）はコンピュータカードである請求項１乃至３のいずれかに記載の三重帯域遠隔測定システム（１０）。
【請求項７】
前記ダウン・コンバータは、
発振器（９４）と、
シンセサイザ（９４）と、
フィルタ（９２）とを更に具備し、前記発振器、前記シンセサイザ及び前記フィルタは直列ループに結合され、前記シンセサイザは温度制御発振器（１００）及び入力部を有するプロセッサ（９６）に結合されている請求項１または２に記載の三重帯域遠隔測定システム（１０）。
【請求項８】
前記第１のアンテナ（４４）と前記結合器（１２２）との間に結合され、前記第１のＲＦ帯域内の所定のチャネル外の周波数を有する信号を阻止する第１の帯域通過フィルタ（１２４）と、
前記第２のアンテナ（４６）と前記ミキサ（８２）との間に結合され、前記第２のＲＦ帯域外の周波数を有する信号を阻止する第２の帯域通過フィルタ（８０）と、
前記ミキサ（８２）と前記結合器（１２２）との間に結合され、前記第１のＲＦ帯域外の信号を阻止する第３の帯域通過フィルタ（１２０）とを更に具備する請求項１乃至３のいずれかに記載の三重帯域遠隔測定システム（１０）。
【請求項９】
前記結合器（１２２）に結合された増幅器（１２６）と、
前記増幅器に結合された低域通過フィルタ（１２８）とを更に具備する請求項１乃至３のいずれかに記載の三重帯域遠隔測定システム（１０）。
【請求項１０】
前記シールドは事前に規定された空間領域である請求項１乃至３のいずれかにのいずれかに記載の三重帯域遠隔測定システム（１０）。
【請求項１１】
患者データを収集し、前記第１の通信帯域内の周波数を有する第１の信号中で前記患者データを送信する第１の遠隔測定送信機（６２）と、
患者データを収集し、前記第２の通信帯域内の周波数を有する第２の信号中で前記患者データを送信する第２の遠隔測定送信機（６４）と、
前記結合器に結合された受信機サブシステム（３０）と、
前記受信機サブシステムに結合され、前記患者データを受信する中央局（５５）とを更に具備し、
前記第１のアンテナは前記第１の送信機から前記第１の信号を受信するように同調され且つ前記第２のアンテナは前記第２の送信機から前記第２の信号を受信するように同調されている請求項１記載の三重帯域遠隔測定システム（１０）。
【請求項１２】
シンセサイザ（９０）と、
フィルタ（９２）とを更に具備し、前記発振器、前記シンセサイザ及び前記フィルタは直列ループに結合されている請求項１１記載の三重帯域遠隔測定システム（１０）。
【請求項１３】
前記シンセサイザに結合され、入力部を有するプロセッサ（９６）と、
前記シンセサイザに結合された温度制御発振器（１００）とを更に具備する請求項１２記載の三重帯域遠隔測定システム（１０）。
【請求項１４】
介護ユニット内の患者を監視する方法において、
第１の通信帯域内で動作する第１の送信機（６２）から患者データ信号を収集することと、
第２の通信帯域内で動作する第２の送信機（６４）から患者データ信号を収集することと、
前記第２の送信機からの患者データ信号を前記第１の通信帯域内の第３の信号に変換することと、
前記第１の信号と前記第３の信号を結合することと、
第３の通信帯域内で動作する第１のデータ装置（５１）から前記第３の信号よりも高速のデータ信号を収集することと、
前記結合された第１及び第３の信号と、前記高速のデータ信号とを混合信号プロセッサ（１６０）に供給することと、
前記変調された第１及び第３の信号と、前記データ信号とを混合することと、
混合された前記第１及び第３の信号と、前記データ信号とを配線システム（１６２）に供給することと、
前記配線システム（１６２）に供給された信号を高速の信号と低速の信号とに分割することと、
から成る方法。
【請求項１５】
前記第１の送信機から患者データ信号を収集する動作は、前記第１の通信帯域内の第１のチャネルで信号を受信するように同調された第１のアンテナ（４４）を使用して実現され、且つ前記第２の送信機から患者データ信号を収集する動作は、前記第２の通信帯域内の第１のチャネルで信号を受信するように同調された第２のアンテナ（４６）を使用して実現される請求項１４記載の方法。
【請求項１６】
前記第２の送信機からの前記患者データ信号を第３の信号に変換する動作は、前記第２の送信機からの前記患者データ信号を局部発振器（８５）からの周波数変換信号と混合することを含む請求項１４記載の方法。
【請求項１７】
前記結合された第１及び第３の信号を受信機（３０）に供給する前に前記結合された第１及び第３の信号をフィルタリングすることを更に含む請求項１４記載の方法。
【請求項１８】
前記第１の通信帯域内の第１のチャネル外の周波数を除去するために前記第１の送信機からの前記患者データ信号をフィルタリングすることと、
前記第２の通信帯域内の第１のチャネル外の周波数を除去するために前記第２の送信機からの前記患者データ信号をフィルタリングすることと、
前記第１の通信帯域外の周波数を除去するために前記第３の信号をフィルタリングすることを更に含む請求項１４記載の方法。
【請求項１９】
前記第１の信号及び前記第３の信号を中央局（５５）で処理することを更に含む請求項１４記載の方法。
【発明の詳細な説明】
【０００１】
【発明の属する技術分野】
本発明は、医療施設において患者を監視するシステム及び装置に関する。特に、本発明は、患者が施設内で介護ユニットを介して移動することを可能にし且つ情報管理及びその他の目的のために高速データリンクを提供する患者監視システムに関する。
【０００２】
【発明の背景】
介護ユニットを介して患者の移動を可能にする患者監視システムの多くは遠隔測定に基づく通信スキームを使用している。それらのシステムに共通する形態の１つにおいては、患者はＥＣＧ電極を使用して患者に装着される遠隔測定送信機を身に付けている。遠隔測定送信機はＥＣＧ信号を収集し、ＥＣＧ信号に対して公称量のフィルタリングを実行し、通常は介護ユニットの天井に配置されているアンテナアレイへ遠隔測定データ信号を伝送する。遠隔測定信号はアンテナアレイを介して遠隔測定受信機へ導かれる。遠隔測定受信機は中央局に接続し、中央局は介護ユニットを担当する臨床医による検分、評価のためにＥＣＧ情報を解析し且つ表示する。
【０００３】
既存の医療用遠隔測定システムは米国連邦通信委員会（「ＦＣＣ」）の規制を受けており、その無線データリンクにはＶＨＦ（超短波）無線周波数（「ＲＦ」）帯域及びＵＨＦ（極超短波）無線周波数帯域を使用する。現在、これら２つの帯域を利用するためには２つの別個の遠隔測定インフラストラクチャ又はシステムを設置する必要がある。２つのシステムを設置することにより、患者監視の費用が増加することは言うまでもない。ＦＣＣ規制について提案されている改正は医療用遠隔測定システムのＲＦスペクトルに新たな帯域（Ｌ帯域）を規定する。新たな帯域の追加は遠隔測定システムに新たな能力を与え且つ他のＲＦ信号との干渉を低減する上で有用であるが、現在の技術でこの新たな帯域での動作を実行するためには更に別個の遠隔測定インフラストラクチャを追加しなければならない。
【０００４】
上述の問題に加えて、現在の遠隔測定システムは、一般に、相対的に高速のデータリンクを要求するアプリケーションを支援することが不可能である。そのようなアプリケーションにはベッドサイド監視、電話通信サービス及び画像転送サービスなどが含まれる。そのようなサービスが存在していたとしても、それらは一般に現在使用されている遠隔測定システムとは別の高帯域幅有線ネットワークによって実現されている。
【０００５】
従って、遠隔測定と高速データ転送の双方を支援するシステムは、遠隔測定用システムと、データ転送用システムという重複システムより低コストになるであろう。更に、統合システムであれば、複数の別個の無線システムを使用する場合に発生するクラッタＲＦ又は無線環境と関連する問題が単純化されるであろう。
【特許文献１】
米国特許第６５５６６３０号
【０００６】
【課題を解決するための手段】
本発明は、ＵＨＦ信号及びＬ帯域信号、並びに高速無線データ転送を支援することができる三重帯域遠隔測定システムを提供する。システムの構造はＬ帯域信号、ＵＨＦ信号及び高速データ信号を共通のアンテナシステムによって検出、処理することを可能にし、それにより、このシステムを使用しなければ必要になると考えられる高価で、余分なインフラストラクチャを排除する。
【０００７】
一実施例では、三重帯域遠隔測定システムは、第１の通信帯域内の周波数を有する信号を受信するように同調された第１のアンテナと、第２の通信帯域内の信号を有する信号を受信するように同調された第２のアンテナと、周波数変換信号を発生するダウン・コンバータとを含む。第２のアンテナとダウン・コンバータにミキサが結合され、ミキサは第２のアンテナにより受信された信号と、周波数変換信号とを使用して、第１の通信帯域内の周波数を有する信号を発生する。結合器は第１の通信帯域内の周波数を有する信号を第１のアンテナにより受信された信号と結合し、出力信号を発生する。
【０００８】
システムは、第３の通信帯域内の信号を受信するように設計された第３のアンテナを更に含む。無線アクセス装置は第３のアンテナに結合し、出力信号を発生する。第３のアンテナは、相対的に高速のデータ伝送を要求するアプリケーションを支援するように設計されている。高速データ伝送がより低速のＲＦ伝送を妨げないように、第３のアンテナとその関連構成要素は第１及び第２のアンテナとその関連構成要素から遮蔽されているのが好ましい。
【０００９】
高速データと低速データを１つの装置で伝送できる。一実施例では、三重帯域遠隔測定システムは、結合器及び無線アクセス装置に結合されたケーブル束アダプタを含む。アダプタは、第１の通信帯域内のデータを導通する第１の導線と、デジタルデータを導通する第２の導線とを有するケーブル束を受け入れる。このように、２種類の信号を処理する単一の並列配線システムを設置することにより、２種類の信号を処理するために２つの別個のワイヤ又はケーブルを誘導し、設置する必要がなくなる。
【００１０】
別の実施例においては、三重帯域遠隔測定システムは、結合器及び無線アクセス装置に結合された混合信号プロセッサを含む。混合信号プロセッサは無線アクセス装置の出力信号と、結合器の出力信号とを混合する。この場合も、混合信号は１本の導線により搬送できるので、ケーブルや配線の敷設費用が低減される。
.
【００１１】
更に別の実施例では、本発明は介護ユニット内の患者を監視する方法を提供する。方法は、第１の通信帯域内で動作する第１の送信機からの患者データ信号を収集することと、第２の通信帯域内で動作する第２の送信機からの患者データ信号を収集することと、第２の送信機からの患者データ信号を第１の通信帯域内の第３の信号に変換することとを含む。その後、第１の信号と第３の信号を結合し、受信機に供給する。ベッドサイドモニタ、電話システム、撮影システム又は相対的に高速のデータリンクを要求する他の装置などの第１のデータ装置からもデータ信号を収集する。第１のデータ装置は第３の通信帯域内で動作する。第１のデータ装置から収集されたデータは監視局などの第２のデータ装置に供給される。
【００１２】
本発明の１つの利点は、複数の周波数帯域の信号を処理することができる受信機サブシステムを設ける必要性を排除したことである。第２のアンテナにより受信された信号は第１の周波数帯域の信号に変換されるため、第１のアンテナからの信号を処理するのと同じ受信機サブシステムにより処理可能である。
【００１３】
第１のアンテナはＵＨＦ信号を受信するように設計され、第２のアンテナはＬ帯域信号を受信するように設計されている。第１のアンテナはＵＨＦ帯域内の特定のチャネルで信号を受信するように設計され、第２のアンテナからの信号は、受信機局で検出される前にダウン・コンバータにおいてＵＨＦ帯域内の第２のチャネルに変換される。
【００１４】
ダウン・コンバータは、ミキサにより発生される変換信号が第１の周波数帯域内の第２のチャネルに入るように変換信号の周波数が選択されるように設計されている。第２のチャネルの周波数は、第１のアンテナからの信号及びテレビジョン放送からのローカルＵＨＦ信号を含めた他のＲＦ信号との干渉を回避するなどの要因によって決まる。変換信号に対して適切な周波数を設定するために、ダウン・コンバータは直列ループに結合された発振器、シンセサイザ及びフィルタを使用する（すなわち、これらの構成要素は位相同期ループを形成する）。シンセサイザは、周波数を調整するために、技術者、管理者又はそれに類する人員から入力を受信することができるマイクロプロセッサを介してプログラムされる。シンセサイザは、温度変化を補正するために、温度制御発振器からその周波数基準を取り出す。
【００１５】
アンテナシステムは、介護ユニット内の患者が身に付けている遠隔測定送信機、受信機サブシステム及び中央局と共に動作するように設計されている。送信機は患者データを収集し、そのデータを所定の周波数で送信する。システムは、最も単純な形態では、第１の周波数帯域で動作する１つの遠隔測定送信機及び第２の周波数帯域で動作する第２の送信機で動作する。遠隔測定送信機により送信された信号は第１及び第２のアンテナにより受信され、第２のアンテナからの信号は先に説明したように変換される。その後、第１のアンテナからの信号と変換信号は受信機サブシステムへ中継され、受信機サブシステムはそれらの信号を中央局に供給する。患者データは中央局で収集、解析される。
【００１６】
以上の説明から明らかであるように、本発明の１つの利点は、複数の通信帯域のデータを処理する多重帯域遠隔測定システムを提供することである。本発明のその他の特徴及び利点は以下の詳細な説明及び添付の図面を考慮することにより明白になるであろう。
【００１７】
【発明の実施の形態】
本発明の実施例を詳細に説明する前に、本発明の適用範囲が以下の説明中に記載される又は添付の図面に示される構成要素の構成及び配置の詳細に限定されないことを理解すべきである。本発明は他の実施例も可能であり、且つ様々な方法で実用化又は実施されることが可能である。また、ここで使用する語句及び用語は説明の便宜上使用されており、限定的な意味を持つとみなされてはならないことを理解すべきである。
【００１８】
図１は、本発明を具現化した三重帯域遠隔測定システム１０を示す。システム１０は中央局１２を含む。中央局１２は、最も一般的な形態ではマイクロプロセッサである処理ユニット又はプロセッサ１４を含む。プロセッサ１４は表示装置１６及びスピーカ１８に結合されており、キーボード２０、マイクロホン２２又はマウス２４からの入力を受信することができる。プロセッサはブロック２６により表されている他の装置へ追加出力を送信するか、又は他の装置からの追加入力を受信することもできる。中央局１２は通信リンク３２を介して受信機サブシステム３０に接続されている。受信機サブシステム３０は、複数のアンテナ又はアンテナユニット４０（そのうちの１つのみが図示されている）に接続する一連のＩ／Ｏポート３４を含む。使用中、アンテナユニット４０はアンテナアレイを形成するために介護ユニットの周囲に間隔をおいて配置される。アンテナユニット４０の数は個々のアプリケーションによって異なるが、通常、各々のアンテナユニット４０は同一である。
【００１９】
アンテナユニット４０はコンバータ／制御回路４２を含む。コンバータ／制御回路４２は、第１の通信帯域又は周波数帯域内の周波数を有する信号を受信するように同調された第１のＲＦアンテナ４４と、第２の通信帯域又は周波数帯域内の周波数を有する信号を受信するように同調された第２のアンテナ４６とに結合されている。アンテナ４４及び４６に加えて、アンテナユニット４０は第３の通信帯域内の信号を受信するように同調された第３のアンテナ４８を含む。第３の通信帯域内の信号はデジタル信号であるのが好ましい。デジタル信号は１０Ｍｂｐｓ以上のビットレートで送信される信号であっても良い。第３のアンテナ４８は、第３の通信帯域内のデジタル信号を送信するように設計された第４のアンテナ５０と関連している。アンテナ４８及び５０は、受け入れ可能である動作（例えば、待ち時間、ジッタ、及びデータのリアルタイム伝送又はリアルタイムに近い伝送を支援するレベルの他の特性）に対して相対的に高速のデータリンクを要求する患者監視システム、電話通信システム、画像転送システム又は他の装置などのデータ装置５１と通信する。アンテナ４８はデータ装置５１から情報を受信する。アンテナ５０はデータ装置５１へ指令、要求又は他の情報を送信するために使用される。アンテナ４８により受信された情報は高速データリンク５２を介してイーサネット（商標）ネットワークなどのネットワーク５４へ転送される。アンテナ４８により受信されたデータを監視するための局５５はネットワーク５４にリンクされている。
【００２０】
アンテナユニット４０は、送信機アンテナ５８に接続するアンテナ送信機回路５６を更に含む。アンテナ送信機回路５６は、中央局１２から以下に説明する遠隔測定送信機へ指令及び情報を伝送するために使用されるＲＦ信号を発生する。
【００２１】
三重帯域遠隔測定システム１０は複数の遠隔測定送信機６０を含む。遠隔測定送信機６０は２つのタイプのうちの１種類であれば良い。第１のタイプの送信機６２は第１の周波数帯域（ＵＨＦなど）で動作するように設計されており、第２のタイプの送信機６４は第２の周波数帯域（Ｌ帯域など）で動作するように設計されている。当業者には知られているように、ＵＨＦ遠隔測定帯域は一般に約４７０ＭＨｚから約６６８ＭＨｚの周波数をカバーしている。Ｌ帯域は一般に約１ＧＨｚから約２ＧＨｚ、特に約１.４ＧＨｚの周波数を有する信号をカバーしている。
【００２２】
使用中、各遠隔測定送信機６０は患者パラメータを測定するのに適する電極又は接続線（ＥＣＧ電極など）を介して患者（図示せず）に接続される。遠隔測定送信機６０が患者に接続されると、その患者の状態を監視することができる。遠隔測定送信機は無線であるため、患者は送信機により妨げられることなく介護ユニット内全域にわたり移動することが可能である。各遠隔測定送信機６０は（タイプに関係なく）伝送アンテナ６８に接続する送信機回路６６を含む。送信機回路６６は、患者データ及びその他のデータをアンテナユニット４０へ伝送するためのＲＦ搬送波信号を発生する。先に述べた通り、搬送波信号の周波数は使用される遠隔測定送信機のタイプ、すなわちタイプ６２（ＵＨＦ）であるか、又はタイプ６４（Ｌ帯域）であるかによって決まる。
【００２３】
各遠隔測定送信機は受信アンテナ７２に接続する受信機回路７０を更に含み、更にスピーカ７４と、マイクロホン７６を含むことができる。当業者には理解されるであろうが、受信機回路７０は支援回路、電力入力部及び共通接続線を含む。受信機回路７０は遠隔測定送信機のマイクロプロセッサ（図示せず）に接続するマイクロプロセッサ入力部（図示せず）を更に有する。マイクロプロセッサは全ての生理学的データを受信し、そのデータを送信機回路６６へ伝送する。更に、マイクロプロセッサはアンテナユニット４０の送信機回路５６から受信機回路７０により受信された指令を処理する。
【００２４】
アンテナユニット４０のコンバータ／制御回路４２を図２に更に詳細に示す。コンバータ／制御回路４２は、受信機サブシステム３０及び中央局１２によりＬ帯域信号とＵＨＦ信号の双方を処理できるように設計されている。制御回路４２はＵＨＦアンテナ４４から信号を受信する。ＵＨＦアンテナ４４はＵＨＦ遠隔測定送信機６２から利用可能なＵＨＦチャネルで信号を受信する。例えば、１つのＵＨＦチャネルは放送チャネル３７であり、このチャネルは６０８ＭＨｚから６１４ＭＨｚの６ＭＨｚ周波数帯域にある。
【００２５】
制御回路４２はＬ帯域アンテナ４６からも信号を受信する。Ｌ帯域アンテナ４６はＬ帯域遠隔測定送信機６４から利用可能なＬ帯域チャネルで信号を受信する。Ｌ帯域アンテナ４６からの信号は、Ｌ帯域周波数範囲外の信号を除去するＬ帯域帯域通過フィルタ８０によりフィルタリングされる。帯域通過フィルタ８０は、アンテナ４６における電圧制御発振器（以下に説明する）からの放射信号を最小にするために、電圧制御発振器からの信号も減衰させる。Ｌ帯域信号はMini Circuits社製JMS-5ミキサなどのミキサ８２に供給される。ミキサ８２はＬ帯域信号を局部発振器８５からの周波数変換信号と混合して、ＵＨＦ帯域信号を発生する。周波数変換信号は、ミキサ８２により発生されるＵＨＦ帯域信号がＵＨＦアンテナ４４により受信されるＵＨＦ信号とは異なるチャネルに存在するように形成される。従って、ＵＨＦアンテナが放送チャネル３７で動作する場合、ミキサ８２により発生される信号は異なるチャネル、例えば、放送チャネル４０に存在することになるであろう。
【００２６】
局部発振器８５はNational Semiconductor社製のLMX2316モデルなどのシンセサイザ９０を含む。シンセサイザはループフィルタ９２及び電圧制御発振器９４と直列（位相同期）ループを成して結合されている。本発明で使用するのに適するループフィルタを図３に示す。電圧制御発振器９４はVari−L Company製の発振器を含む市販の数種類の発振器のうちの１つであれば良い。
【００２７】
シンセサイザ９０は、Microchip PIC16C620などの市販のプロセッサであるマイクロプロセッサ９６によりプログラムされている。マイクロプロセッサ９６はシリアル・ポートなどのポート９８を介して入力を受信する。シリアル・ポート９８を介して供給される情報及び指令により、シンセサイザの周波数を調整できる。シンセサイザ９０は温度制御発振器１００からの入力を更に受信する。発振器１００はシンセサイザ９０の周波数基準を提供する。温度制御発振器１００はOscillatek OSC-1B2TCXOなどの市販の発振器によって実現されれば良い。
【００２８】
シンセサイザ９０の出力はループフィルタ９２に供給され、ループフィルタ９２はシンセサイザ９０により発生されたあらゆる基準スパーを減衰させ、ループ中の雑音を除去し、且つ位相同期ループの安定性を制御する。電圧制御発振器９４は、Ｌ帯域信号がダウンコンバートされるようにＬ帯域信号の所望の変換周波数を実現するのに適切な周波数で発振する。電圧制御発振器９４の発振周波数はループフィルタ９２から受信される直流電圧により設定される。電圧制御発振器は周波数変換信号を発生し、この周波数変換信号はミキサ８２に供給される。周波数変換信号と、アンテナ４６からのＬ帯域信号はミキサ８２で混合され、その結果発生したＵＨＦ信号は帯域通過フィルタ１２０に供給される。帯域通過フィルタ１２０はＵＨＦ周波数帯域外の信号を除去する。その後、フィルタリング済みＵＨＦ信号は、Mini Circuits JPS-2-900などの市販の結合器である結合器１２２に供給される。
【００２９】
結合器１２２は、ＵＨＦアンテナ４４が同調されているチャネルの外の信号を除去する帯域通過フィルタ１２４によりフィルタリングされた後のＵＨＦアンテナ４４からのＵＨＦ信号を更に受信する。結合器はアンテナ４４からのＵＨＦ信号とミキサ８２からのＵＨＦ信号を結合し、それらを増幅器１２６に供給する。増幅後、結合信号は低域通過フィルタ１２８によりフィルタリングされる。低域通過フィルタ１２８はそれら２つの信号の高調波を除去する。結合信号は伝送線路１２９に沿ってＲＦ出力ノード１３０（直流入力ノードとしても機能できる）へ出力され、先に説明したように受信機サブシステムに供給される。
【００３０】
データアクセス装置５１との間で送受信されるデータ信号はカード装置１４０で処理される。一実施例では、カード装置は無線ローカルエリアネットワーク（「ＷＬＡＮ」）アクセスポイント（「ＡＰ」）を提供するように構成されたPersonal Computer Memory Card International Association（「ＰＣＭＣＩＡ」）カードの形態をとる。より一般的に言えば、カード装置１４０は無線アクセス装置として動作する。カード装置は電力入力部１４２を有し、図示されている実施例では、電力入力部１４２は直流１２Ｖ電源に結合されている。カード装置はデータ入出力ノード１４４を更に有する。
【００３１】
コンバータ／制御回路４２のＲＦ構成要素（４４、４６、８０、８２、８５、１２０、１２２、１２４、１２６及び１２８）と、制御回路４２のデータ送信用構成要素（４８、５０及び１４０）との間にはシールド１５０を配置するのが好ましい。シールドは導線又は金属板などの物理的構成要素の形態をとっていても良い。あるいは、ＲＦ構成要素とデータ送信用構成要素との間に事前に規定された空間領域を設けることにより十分な遮蔽を実現することもできるであろう。
【００３２】
図４及び図５は、相対的に低速の遠隔測定データと相対的に高速の信号の双方を送信することに関連してケーブル配線に課される条件を軽減するために実現できる本発明の付加的な特徴を示す。図４は、リンク１２９からのＲＦ出力と、カード装置１４０の出力部１４４からのデータ信号とを受信する混合信号プロセッサ１６０を示す。混合信号プロセッサはリンク１２９からのＲＦ信号を出力部１４４からのデータ信号と結合し、同軸ケーブル１６４の中心導線１６２に供給される信号出力を発生する。中心導線１６２は、増幅器１２６及びカード装置１４０に給電するための直流１２Ｖ信号などの電力信号も搬送できる。
【００３３】
図１に示すように、中央局１２及び監視局５５は遠隔測定データと相対的に高速のデータをそれぞれ監視する、あるいは制御又は処理するために使用される。高速データは標準有線イーサネット（商標）ネットワークへ伝送される。図４に示すケーブル配線による問題解決が実現された場合、適切なデータを中央局１２及び監視局５５へ転送するためにシグナルスプリッタ又はデマルチプレクサを使用できる。それ以外にも、当業者には明白であろうが、２種類のデータを処理するように動作可能である統一監視局（図示せず）を実現することも可能であろう。
【００３４】
図５はケーブル束アダプタ１７０を示す。アダプタ１７０は、第１の伝送線路又は導線１７４を有するケーブル束１７２を受け入れる。導線１７４は高速データ信号を搬送する。本発明で使用するのに適する導線の一例は１０Ｂａｓｅ−Ｔ線路又はケーブル、あるいは類似のデータ容量又はそれを越えるデータ容量を有する他のワイヤ又はケーブルである。ケーブル束１７２は、低速データを搬送する第２の導線１７６を更に含む。第２の導線１７６は同軸ケーブルの形態をとっていても良く、その場合、同軸ケーブルの中心導線は相対的に低速のＲＦデータを伝送するために使用される。中心導線は増幅器１２６及びカード装置１４０に給電するための電力信号を供給するために使用されても良い。
【００３５】
以上の説明からわかるように、本発明は、患者が身に付けた遠隔測定送信機から情報を収集し且つ相対的に高速のデータリンクを要求する他のデータを送信するための三重帯域遠隔測定システムを提供する。
【００３６】
本発明の様々な特徴及び利点は特許請求の範囲に記載されている。
【図面の簡単な説明】
【図１】  本発明を具現化した三重帯域遠隔測定システムのブロック線図。
【図２】  図１の遠隔測定システムで使用できるコンバータ／制御ユニット及び無線データアクセス装置のブロック線図。
【図３】  コンバータ／制御ユニットで使用されるシンセサイザ局部発振器において使用するのに適するフィルタの回路図。
【図４】  無線周波数遠隔測定信号と信号導線におけるデータ信号とを結合するために使用される混合信号プロセッサのブロック線図。
【図５】  無線周波数無線信号及びデータ信号をケーブル束へ転送するために使用されるアダプタのブロック線図。
【符号の説明】
１０…三重帯域遠隔測定システム、１２…中央局、３０…受信機サブシステム、４０…アンテナユニット、４２…コンバータ／制御回路、４４…第１のアンテナ（ＵＨＦアンテナ）、４６…第２のアンテナ（Ｌ帯域アンテナ）、４８…第３のアンテナ、５０…第４のアンテナ、５１…データアクセス装置、５５…監視局、６２…ＵＨＦ遠隔測定送信機、６４…Ｌ帯域遠隔測定送信機、８０…帯域通過フィルタ、８２…ミキサ、８５…局部発振器、９０…シンセサイザ、９２…ループフィルタ、９４…電圧制御発振器、９６…マイクロプロセッサ、９８…シリアル・ポート、１００…温度制御発振器、１２０…帯域通過フィルタ、１２２…結合器、１２４…帯域通過フィルタ、１２６…増幅器、１４０…カード装置、１５０…シールド、１６０…混合信号プロセッサ、１６２…中心導線、１６４…同軸ケーブル、１７０…ケーブル束アダプタ、１７２…ケーブル束、１７４…第１の導線、１７６…第２の導線
【図１】
0004012805.tif 000002
【図２】
0004012805.tif 000003
【図３】
0004012805.tif 000004
【図４】
0004012805.tif 000005
【図５】
0004012805.tif 000006